(57)【要約】【課題】商品を収納する冷設機器が設けられた店舗の電力消費量を適切に削減することができる換気方法を提供する。【解決手段】換気方法は、外気温度が閾値温度以下であると（Ｓ１０１でＹｅｓ）、商品を収納する冷設機器が設けられた店舗の売場の換気を行う１以上の換気器を備える換気ユニットの換気量を増加させる（Ｓ１０２）。【選択図】図２
2018204944.tif 000002
【特許請求の範囲】
【請求項１】
外気温度が閾値温度以下であると、商品を収納する冷設機器が設けられた店舗の売場の換気を行う１以上の換気器を備える換気ユニットの換気量を増加させる、
換気方法。
【請求項２】
前記店舗の閉店以降、外気温度が閾値温度以下であると前記換気ユニットの換気量を増加させる、
請求項１に記載の換気方法。
【請求項３】
前記店舗の開店前において、外気温度が閾値温度以下であっても前記換気ユニットの換気量を増加させない、
請求項１または２に記載の換気方法。
【請求項４】
前記店舗が複数であるとき、前記複数の店舗の少なくとも一部において、前記閾値温度は、他の店舗と異なる、
請求項１〜３のいずれか１項に記載の換気方法。
【請求項５】
外気温度を取得する取得器と、
前記取得器で取得された外気温度が閾値温度以下であると、商品を収納する冷設機器が設けられた店舗の売場の換気を行う１以上の換気器を備える換気ユニットの換気量を増加させる制御器と、
を備える制御装置。
【請求項６】
商品を収納する冷設機器が設けられた店舗の売場の換気を行う１以上の換気器を備える換気ユニットと、
外気温度を取得する取得器と、
前記取得器で取得された外気温度が閾値温度以下であると、前記換気ユニットの換気量を増加させる制御器と、
を備える換気システム。
【発明の詳細な説明】
【技術分野】
【０００１】
本開示は、換気を行うための換気方法等に関する。
【背景技術】
【０００２】
特許文献１は、店舗の炭酸ガス濃度に基づいて、換気手段の運転状態を制御するようにした換気システムが開示されている。
【先行技術文献】
【特許文献】
【０００３】
【特許文献１】特開２００７−３１６０号公報
【発明の概要】
【発明が解決しようとする課題】
【０００４】
しかしながら、店舗には、商品を収納する冷設機器が設けられる場合があり、また、冷設機器の電力消費量は、一般的に大きい。
【０００５】
上記事情を鑑み、例示的な実施の形態は、商品を収納する冷設機器が設けられた店舗の電力消費量を適切に削減することができる換気方法等を提供することを目的とする。
【課題を解決するための手段】
【０００６】
本開示の一態様に係る換気方法は、外気温度が閾値温度以下であると、商品を収納する冷設機器が設けられた店舗の売場の換気を行う１以上の換気器を備える換気ユニットの換気量を増加させる。
【０００７】
なお、これらの包括的または具体的な態様は、システム、装置、方法、集積回路、コンピュータプログラム、または、コンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本開示の一態様に係る換気方法等によって、商品を収納する冷設機器が設けられた店舗の電力消費量を適切に削減することが可能である。
【図面の簡単な説明】
【０００９】
【図１】図１は、実施の形態における換気システムの構成を示すブロック図である。
【図２】図２は、実施の形態における換気システムの動作を示すフローチャートである。
【図３】図３は、実施の形態における制御時間を示す概念図である。
【図４】図４は、実施の形態における換気システムの変形構成を示すブロック図である。
【図５】図５は、具体例における換気システムの構成を示すブロック図である。
【図６】図６は、具体例におけるパラメータ決定装置の構成を示すブロック図である。
【図７】図７は、具体例におけるパラメータ決定装置の動作を示すフローチャートである。
【図８】図８は、具体例における外気温度の変化を示すグラフである。
【図９】図９は、具体例における閾値温度と電力消費量との関係を示すグラフである。
【図１０】図１０は、具体例における制御装置の構成を示すブロック図である。
【図１１】図１１は、具体例における制御装置の動作を示すフローチャートである。
【図１２】図１２は、具体例における制御装置が具体的なパラメータに従って行う動作を示すフローチャートである。
【発明を実施するための形態】
【００１０】
（本開示の基礎になった知見）
まず、換気を行うための換気方法等に関し、本開示の基礎になった、発明者らの知見を説明する。
【００１１】
スーパーマーケットまたはコンビニエンスストア等の店舗において、商品を収納する冷設機器が設けられる場合がある。ここで、冷設機器は、収納された商品が冷凍または冷蔵される機器であって、例えば、冷凍用または冷蔵用のショーケース、冷凍機、あるいは、冷蔵庫等である。このような冷設機器の電力消費量は、一般的に大きい。
【００１２】
また、冷設機器の電力消費量は、冷設機器の周辺環境にも依存する。例えば、冷設機器の周辺の温度と、冷設機器において商品が収納される空間である収納空間の温度との差が大きいほど、収納空間の温度を維持するための電力消費量は大きいと想定される。
【００１３】
一方、例えば、店舗では、衛生上の目的で、２４時間換気を行うことが法律で規定されている。冬の時期の換気によって、冷たい外気が店舗内に流入し、店舗に設けられた冷設機器の周辺の温度が下がる可能性がある。したがって、換気によって、冷設機器の周辺の温度と、冷設機器における収納空間の温度との差が小さくなり、冷設機器の電力消費量が削減される可能性がある。
【００１４】
しかしながら、換気量を大きくすると、換気のための電力消費量が大きくなり、店舗全体の電力消費量が大きくなる可能性がある。
【００１５】
そこで、本開示の一態様に係る換気方法は、外気温度が閾値温度以下であると、商品を収納する冷設機器が設けられた店舗の売場の換気を行う１以上の換気器を備える換気ユニットの換気量を増加させる。
【００１６】
これにより、外気温度が閾値温度以下である状態で、換気量が増加する。したがって、閾値温度以下の外気が効率的に店舗の売場に取り込まれる。よって、冷設機器の電力消費量を削減することが可能である。また、効率的な換気によって、換気のための電力消費量の増加を抑制することが可能である。すなわち、上記の換気方法によって、商品を収納する冷設機器が設けられた店舗の電力消費量を適切に削減することが可能である。
【００１７】
例えば、前記換気方法は、前記店舗の閉店以降、外気温度が閾値温度以下であると前記換気ユニットの換気量を増加させてもよい。
【００１８】
これにより、開店中に店内温度が低く、空調のための電力消費量が増加する等の弊害を抑制することが可能である。
【００１９】
また、例えば、前記換気方法は、前記店舗の開店前において、外気温度が閾値温度以下であっても前記換気ユニットの換気量を増加させなくてもよい。
【００２０】
これにより、開店前に店内温度が低いため、店舗の開店に伴い店舗内の温度を上げるために空調の電力消費量が増加する等の弊害を抑制することが可能である。
【００２１】
また、例えば、前記店舗が複数であるとき、前記複数の店舗の少なくとも一部において、前記閾値温度は、他の店舗と異なっていてもよい。
【００２２】
これにより、店舗毎に規定される適切な閾値温度に従って、換気量の増加の制御を行うことが可能である。
【００２３】
また、本開示の一態様に係る制御装置は、外気温度を取得する取得器と、前記取得器で取得された外気温度が閾値温度以下であると、商品を収納する冷設機器が設けられた店舗の売場の換気を行う１以上の換気器を備える換気ユニットの換気量を増加させる制御器と、を備える制御装置でもよい。
【００２４】
これにより、制御装置は、外気温度が閾値温度以下である状態で、換気量を増加させることができる。したがって、制御装置は、閾値温度以下の外気を効率的に店舗の売場に取り込むことができる。よって、制御装置は、冷設機器の電力消費量を削減することができる。また、制御装置は、効率的な換気によって、換気のための電力消費量の増加を抑制することができる。すなわち、制御装置は、商品を収納する冷設機器が設けられた店舗の電力消費量を適切に削減することができる。
【００２５】
また、本開示の一態様に係る換気システムは、商品を収納する冷設機器が設けられた店舗の売場の換気を行う１以上の換気器を備える換気ユニットと、外気温度を取得する取得器と、前記取得器で取得された外気温度が閾値温度以下であると、前記換気ユニットの換気量を増加させる制御器と、を備える換気システムでもよい。
【００２６】
これにより、換気システムは、外気温度が閾値温度以下である状態で、換気量を増加させることができる。したがって、換気システムは、閾値温度以下の外気を効率的に店舗の売場に取り込むことができる。よって、換気システムは、冷設機器の電力消費量を削減することができる。また、換気システムは、効率的な換気によって、換気のための電力消費量の増加を抑制することができる。すなわち、換気システムは、商品を収納する冷設機器が設けられた店舗の電力消費量を適切に削減することができる。
【００２７】
さらに、これらの包括的又は具体的な態様は、システム、装置、方法、集積回路、コンピュータプログラム、または、コンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００２８】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００２９】
また、電力消費量は、消費される電力の量を意味し、Ｗ（ワット）で表現されてもよいし、Ｗｈ（ワット時）で表現されてもよい。
【００３０】
（実施の形態）
図１は、本実施の形態における換気システムの構成を示すブロック図である。図１に示された換気システム１００は、本開示の換気システムの一例であって、店舗の売場の換気を行う。本実施の形態において、換気システム１００は、制御装置１１０および換気ユニット１２０を備える。
【００３１】
制御装置１１０は、本開示の制御装置の一例であって、店舗の売場の換気を行うための制御を行う。制御装置１１０は、換気制御のための演算処理器および記憶器等を備えてもよい。演算処理器は、ＭＰＵでもよいしＣＰＵでもよい。記憶器は、揮発性メモリでもよいし不揮発性メモリでもよい。記憶器には、換気制御のためのプログラムが記憶されていてもよい。本実施の形態において、制御装置１１０は、取得器１１１および制御器１１２を備える。
【００３２】
取得器１１１は、本開示の取得器の一例であって、店舗の売場の換気を行うための情報を取得する。取得器１１１は、汎用または専用の電気回路であってもよい。本実施の形態において、取得器１１１は、外気温度を取得する。取得器１１１は、店舗の売場の換気を行うためのその他のパラメータを取得してもよい。取得器１１１で取得される外気温度は、外気温度自体であってもよいし、外気温度に相関するパラメータであってもよい。外気温度自体は、例えば、温度検知器で検知された外気温度であってもよいし、天気予報で予測される外気温度であってもよい。外気温度に相関するパラメータとしては、例えば、店舗内の温度であってもよい。
【００３３】
例えば、取得器１１１は、有線または無線の通信で情報を受信するための端子またはアンテナを備えていてもよい。そして、取得器１１１は、有線または無線の通信で情報を受信することによって、情報を取得してもよい。例えば、取得器１１１は、温度センサによって検知された外気温度を温度センサから受信することにより、外気温度を取得してもよい。取得器１１１は、他の装置等から各種パラメータを受信することにより、各種パラメータを取得してもよい。
【００３４】
また、取得器１１１は、センサを備えていてもよい。そして、取得器１１１は、センサによって情報を検知することにより、情報を取得してもよい。具体的には、取得器１１１は、外気温度を検知する温度センサを備えていてもよい。そして、取得器１１１は、温度センサによって外気温度を検知することにより、外気温度を取得してもよい。
【００３５】
また、取得器１１１は、マウス、キーボードまたはタッチパネル等の入力インタフェースを備えていてもよい。そして、取得器１１１は、入力インタフェースを介して情報を取得してもよい。例えば、取得器１１１は、入力インタフェースを介して、店舗の売場の換気を行うための各種パラメータを取得してもよい。
【００３６】
また、取得器１１１は、記録媒体などのメモリに接続するための接続インタフェースを備えていてもよい。そして、取得器１１１は、メモリから情報を取得してもよい。また、取得器１１１は、取得された情報に対して情報処理を行い、情報処理の結果を新たな情報として取得してもよい。
【００３７】
なお、取得器１１１は、複数種の情報を取得する複数の取得器で構成されていてもよい。例えば、取得器１１１は、外気温度を取得する外気温度取得器、店内温度を取得する店内温度取得器、および、店舗の売場の換気を行うためのその他のパラメータを取得するパラメータ取得器等を備えていてもよい。
【００３８】
制御器１１２は、本開示の制御器の一例であって、店舗の売場の換気を行うための制御を行う。制御器１１２は、汎用または専用の電気回路であってもよいし、換気制御のための演算処理器および記憶器等を備えてもよい。演算処理器は、ＭＰＵでもよいしＣＰＵでもよい。記憶器は、揮発性メモリでもよいし不揮発性メモリでもよい。記憶器には、換気制御のためのプログラムが記憶されていてもよい。
【００３９】
具体的には、制御器１１２は、取得器１１１によって取得される外気温度等に従って、店舗の売場の換気を行うための制御を行う。例えば、制御器１１２は、換気ユニット１２０の換気量を制御する。
【００４０】
より具体的には、制御器１１２は、換気ユニット１２０が備える１以上の換気器１２１のそれぞれの換気量を制御することにより、換気ユニット１２０の換気量を制御してもよい。あるいは、制御器１１２は、換気ユニット１２０が備える１以上の換気器１２１のうち、オンにする、つまり稼働させる換気器１２１の数を制御することにより、換気ユニット１２０の換気量を制御してもよい。
【００４１】
また、制御器１１２は、有線または無線の通信で指令を送信するための端子またはアンテナを備えていてもよい。そして、制御器１１２は、換気ユニット１２０または各換気器１２１へ指令を送信することにより、換気ユニット１２０の換気量を制御してもよい。制御器１１２が指令を送信するための端子は、取得器１１１が情報を受信するための端子と同じであってもよいし、制御器１１２が指令を送信するためのアンテナは、取得器１１１が情報を受信するためのアンテナと同じであってもよい。
【００４２】
また、制御器１１２は、外気温度が閾値温度以下であると、換気ユニット１２０の換気量を増加させる。そして、制御器１１２は、外気温度が閾値温度よりも高いと、換気ユニット１２０の換気量を通常の換気量に等しくする。
【００４３】
すなわち、制御器１１２は、外気温度が閾値温度以下であると、換気ユニット１２０の換気量を通常の換気量よりも増加させる。言い換えれば、制御器１１２は、外気温度が閾値温度よりも高い状態における換気ユニット１２０の換気量よりも、外気温度が閾値温度以下である状態における換気ユニット１２０の換気量を増加させる。換気量の増加は、制御器１１２により、換気器１２１が出力する換気量を増加させる第１の制御及び稼動する換気器１２１の台数を増加させる第２の制御の少なくとも一方を実行することで実現する。
【００４４】
これにより、閾値温度以下の外気が効率的に店舗の売場に取り込まれる。なお、通常の換気量は、ゼロであってもよい。つまり、通常の換気量は、換気が行われていない状態に対応していてもよい。あるいは、通常の換気量は、２４時間換気のための比較的小さい換気量であってもよい。
【００４５】
また、制御器１１２は、制御時間において、外気温度が閾値温度以下であると、換気ユニット１２０の換気量を通常の換気量よりも増加させる制御を行ってもよい。この制御時間は、例えば、店舗の閉店の時点に開始し、店舗の開店よりも前の時点に終了する。
【００４６】
つまり、制御器１１２は、店舗の閉店以降に、外気温度が閾値温度以下であると、換気ユニット１２０の換気量を通常の換気量よりも増加させてもよい。また、制御器１１２は、店舗の開店の前において、外気温度が閾値温度以下であっても、換気ユニット１２０の換気量を通常の換気量よりも増加させなくてもよい。これにより、開店中または開店時に店内温度が低くなるという弊害を抑制することが可能である。
【００４７】
換気ユニット１２０は、本開示の換気ユニットの一例であって、店舗の売場の換気を行う。また、換気ユニット１２０は、１以上の換気器１２１を備える。図１の例において、換気ユニット１２０は、２つの換気器１２１を備えているが、換気ユニット１２０は、１つの換気器１２１を備えていてもよいし、３つ以上の換気器１２１を備えていてもよい。
【００４８】
換気器１２１は、本開示の換気器の一例であって、店舗の売場の換気を行う。本実施の形態において、換気器１２１は、店舗に設けられており、より具体的には、店舗の売場に設けられている。換気器１２１は、吸気器であってもよいし、排気器であってもよいし、吸気器と排気器との組み合わせであってもよい。換気ユニット１２０は、吸気器および排気器のそれぞれを換気器１２１として備えていてもよい。
【００４９】
また、例えば、換気器１２１は、換気ファン、吸気ファンまたは排気ファン等と呼ばれるファンを備え、ファンによって換気を行う。換気器１２１は、店舗の外の空気を店舗の売場に入れることにより、店舗の売場の換気を行ってもよいし、店舗の売場の空気を店舗の外に出すことにより、店舗の売場の換気を行ってもよい。換気器１２１は、店舗の外の空気を店舗の売場に入れ、かつ、店舗の売場の空気を店舗の外に出すことにより、店舗の売場の換気を行ってもよい。
【００５０】
冷設機器１３０は、本開示の冷設機器の一例であって、商品を収納するための冷設機器である。具体的は、冷設機器１３０は、商品の冷凍用または冷蔵用の機器であって、例えば、冷凍用または冷蔵用のショーケース、冷凍機、あるいは、冷蔵庫等である。冷設機器１３０には、商品が収納される空間である収納空間がある。本実施の形態において、冷設機器１３０は、店舗に設けられており、より具体的には、店舗の売場に設けられている。
【００５１】
図１の例において、１つの冷設機器１３０が店舗に設けられているが、２つ以上の冷設機器１３０が店舗に設けられていてもよい。また、冷設機器１３０は、複数の装置で構成されていてもよい。例えば、冷設機器１３０は、１以上のショーケースで構成されていてもよい。
【００５２】
本実施の形態における店舗は、商品を収納するための冷設機器１３０が設けられる店舗であって、スーパーマーケットまたはコンビニエンスストア等である。具体的には、店舗の売場に、冷設機器１３０が設けられる。また、店舗に、換気ユニット１２０を構成する１以上の換気器１２１が設けられる。より具体的には店舗の売場に、１以上の換気器１２１が設けられる。
【００５３】
なお、取得器１１１および制御器１１２は、制御装置１１０を構成していなくてもよい。すなわち、換気システム１００は、制御装置１１０ではなく、取得器１１１および制御器１１２のそれぞれを備えていてもよい。また、例えば、取得器１１１が店舗に設けられてもよいし、制御器１１２が店舗に設けられてもよいし、制御装置１１０が店舗に設けられてもよい。
【００５４】
図２は、図１に示された換気システム１００の動作を示すフローチャートである。具体的には、換気システム１００は、外気温度が閾値温度以下であると（Ｓ１０１でＹｅｓ）、商品を収納する冷設機器１３０が設けられた店舗の売場の換気を行う１以上の換気器１２１を備える換気ユニット１２０の換気量を増加させる（Ｓ１０２）。
【００５５】
例えば、換気システム１００の取得器１１１は、外気温度を取得する。そして、取得された外気温度が閾値温度以下であると、換気システム１００の制御器１１２は、換気ユニット１２０の換気量を増加させる。一方、取得された外気温度が閾値温度よりも高いと、換気システム１００の制御器１１２は、換気ユニット１２０の換気量を増加させない。
【００５６】
つまり、制御器１１２は、取得された外気温度が閾値温度以下である状態で、換気ユニット１２０の換気量を通常の換気量よりも増加させ、取得された外気温度が閾値温度よりも高い状態で、換気ユニット１２０の換気量を通常の換気量に等しくする。
【００５７】
これにより、換気システム１００は、外気温度が閾値温度以下である状態で、換気量を増加させることができる。したがって、換気システム１００は、閾値温度以下の外気を効率的に店舗の売場に取り込むことができる。これにより、換気システム１００は、店内温度を効率的に低下させることができる。
【００５８】
よって、換気システム１００は、冷設機器１３０の電力消費量を削減することができ、換気のための電力消費量の増加を抑制することができる。すなわち、換気システム１００は、商品を収納する冷設機器１３０が設けられた店舗の電力消費量を適切に削減することができる。
【００５９】
図３は、図１に示された換気システム１００が換気量の増加の制御を行う時間である制御時間を示す概念図である。ここで、換気量の増加の制御は、外気温度が閾値温度以下であると換気ユニット１２０の換気量を増加させる制御を意味する。換気システム１００は、制御時間において、換気ユニット１２０の換気量の増加の制御を行ってもよい。そして、換気システム１００は、制御時間以外において、換気ユニット１２０の換気量の増加の制御を行わず、換気ユニット１２０の換気量を通常の換気量に等しくしてもよい。
【００６０】
つまり、例えば、制御時間において、外気温度が閾値温度以下であると、換気システム１００は、換気ユニット１２０の換気量を増加させる。そして、制御時間において、外気温度が閾値温度よりも高いと、換気システム１００は、換気ユニット１２０の換気量を通常の換気量に等しくする。また、制御時間以外において、換気システム１００は、換気ユニット１２０の換気量を通常の換気量に等しくする。
【００６１】
例えば、制御時間は、閉店から開始し、開店の前に終了する。制御時間は、閉店から開始し、開店の１時間以上前に終了してもよいし、開店の２時間以上前に終了してもよい。具体的には、制御時間は、閉店から開始する時間であって、閉店から開店までの時間長よりも短い時間長で規定される時間であってもよい。制御時間は、閉店から開店までの時間長よりも短いという条件下において、閉店から３０分間でもよいし、閉店から１時間でもよいし、閉店から２時間でもよい。
【００６２】
換気システム１００は、閉店以降に、閾値温度以下の外気で換気をより早く行うことにより、店内温度をより早く下げることができる。これにより、換気システム１００は、冷設機器１３０の電力消費量をより早く下げることができる。したがって、これにより、換気システム１００は、店舗の電力消費量をより効率的に削減することができる。
【００６３】
図４は、図１に示された換気システム１００の変形構成を示すブロック図である。換気システム１００は、複数の店舗のそれぞれについて、店舗の売場の換気を行ってもよい。換気システム１００の制御器１１２は、各店舗に設けられた換気ユニット１２０の換気量を制御する。図４の例では、３つの店舗が示されているが、換気システム１００によって換気量が制御される店舗は、３つよりも少なくてもよいし、３つよりも多くてもよい。
【００６４】
取得器１１１は、複数の店舗で共通の外気温度を取得してもよいし、複数の店舗のそれぞれに対して個別の外気温度を取得してもよい。個別の外気温度は、店舗の周辺に設けられた温度センサから得られる外気温度でもよいし、店舗の所在地に従って推定される外気温度でもよい。取得器１１１は、外部の装置から、店舗の所在地に従って推定される外気温度を取得してもよい。
【００６５】
制御器１１２は、外気温度と閾値温度とを比較して、各換気ユニット１２０の換気量を制御する。閾値温度は、店舗毎に設定されていてもよい。つまり、複数の店舗の少なくとも一部において、閾値温度が他の店舗とは異なっていてもよい。これにより、換気システム１００は、店舗毎に適切な閾値温度で、換気量を増加するための制御を行うことができる。
【００６６】
また、同様に、制御時間が、店舗毎に設定されていてもよい。つまり、複数の店舗の少なくとも一部において、制御時間が他の店舗とは異なっていてもよい。また、同様に、通常時または増加時の換気量が、店舗毎に設定されていてもよい。つまり、複数の店舗の少なくとも一部において、換気量が他の店舗とは異なっていてもよい。
【００６７】
図４の例では、複数の店舗に対して、共通の制御装置１１０、共通の取得器１１１、および、共通の制御器１１２が設けられている。しかし、複数の店舗のそれぞれに対して、個別の取得器１１１が設けられてもよいし、個別の制御器１１２が設けられてもよいし、個別の制御装置１１０が設けられてもよい。
【００６８】
また、本実施の形態において、取得器１１１は、店内温度を取得してもよい。そして、外気温度が閾値温度以下であり、かつ、外気温度が店内温度よりも低いと、制御器１１２が換気量を増加させてもよい。あるいは、取得器１１１または制御器１１２は、店内温度よりも低い温度に閾値温度を調整してもよい。そして、外気温度が、店内温度よりも低い温度に調整された閾値温度以下であると、制御器１１２が換気量を増加させてもよい。
【００６９】
（具体例）
図５は、本具体例における換気システム１００の構成を示すブロック図である。本具体例において、換気システム１００は、制御装置１１０、吸気器１２６および排気器１２７等を備える。
【００７０】
吸気器１２６は、店舗の外部から店舗の内部へ空気を入れる。ここで、店舗の内部は、店舗の売場に相当する。具体的には、吸気器１２６は、店舗の売場へ空気を入れる。
【００７１】
排気器１２７は、店舗の内部から店舗の外部へ空気を出す。具体的には、排気器１２７は、店舗の売場から空気を出す。
【００７２】
例えば、吸気器１２６および排気器１２７は、換気ユニット１２０を構成する。すなわち、吸気器１２６および排気器１２７は、それぞれ、換気器１２１の一例である。換気システム１００は、換気ユニット１２０を構成する複数の換気器１２１として、吸気器１２６および排気器１２７以外に、図示されていない１以上の吸気器、および、図示されていない１以上の排気器を備えていてもよい。
【００７３】
なお、店舗に設けられる換気ユニット１２０および各換気器１２１は、基本的に、店舗の内部と店舗の外部とにまたがって設けられる。
【００７４】
外気温度センサ１５０は、温度を検知するセンサであって、店舗の外部に設けられている。具体的には、外気温度センサ１５０は、外気温度を検知する。外気温度センサ１５０で検知された外気温度は、制御装置１１０によって換気ユニット１２０の制御に用いられる。また、外気温度センサ１５０で検知された外気温度は、パラメータ決定装置１４０によってパラメータの決定に用いられてもよい。
【００７５】
店内温度センサ１６０は、温度を検知するセンサであって、店舗の内部に設けられている。具体的には、店内温度センサ１６０は、店内温度を検知する。店内温度センサ１６０で検知された店内温度は、制御装置１１０によって換気ユニット１２０の制御に用いられてもよい。また、店内温度センサ１６０で検知された店内温度は、パラメータ決定装置１４０によってパラメータの決定に用いられてもよい。
【００７６】
なお、店内温度センサ１６０で検知された店内温度が、換気ユニット１２０の制御、または、パラメータの決定等に用いられないシステム環境では、店内温度が検知されなくてもよく、店内温度センサ１６０が設けられなくてもよい。
【００７７】
ショーケース１３６、１３７は、それぞれ、冷凍用または冷蔵用のショーケースであって、商品を収納するショーケースである。つまり、ショーケース１３６、１３７は、冷設機器１３０の一例である。ショーケース１３６が冷凍用のショーケースであって、ショーケース１３７が冷蔵用のショーケースであってもよい。
【００７８】
また、ショーケース１３６、１３７は、それぞれ、冷凍機別置型ショーケースであってもよいし、冷凍機内蔵型ショーケースであってもよい。ここで、冷凍機別置型ショーケースは、例えば、店舗の外部に設けられた冷凍機と、店舗の内部に設けられたショーケースとを備える。店舗の外部に設けられた冷凍機は、室外機とも呼ばれる。冷凍機内蔵型ショーケースは、例えば、店舗に設けられたショーケースの内部に冷凍機を備える。
【００７９】
例えば、ショーケース１３６が冷凍機内蔵型ショーケースであって、ショーケース１３７が冷凍機別置型ショーケースであってもよい。なお、店舗または店舗の売場に設けられた冷設機器１３０に関して、その全体が店舗または店舗の売場に設けられていなくてもよく、その一部が室外機などのように店舗の外部に設けられてもよい。つまり、冷設機器１３０は、全体的に店舗または店舗の売場に設けられていてもよいし、部分的に店舗または店舗の売場に設けられていてもよい。
【００８０】
計測器１７０は、電力消費量を計測する計測器である。具体的には、計測器１７０は、ショーケース１３６、１３７の電力消費量を計測する。計測器１７０は、冷凍機別置型ショーケースに対して店舗の外部に設けられた冷凍機の電力消費量を含めて、電力消費量を計測してもよい。そして、計測器１７０で計測された電力消費量は、パラメータ決定装置１４０によってパラメータの決定に用いられてもよい。
【００８１】
なお、計測器１７０で計測された電力消費量が、パラメータの決定等に用いられないシステム環境では、電力消費量が計測されなくてもよく、計測器１７０が設けられなくてもよい。
【００８２】
また、計測器１７０は、ショーケース１３６、１３７のそれぞれの電力消費量を別々に計測してもよい。さらに、計測器１７０は、ショーケース１３６、１３７のそれぞれの電力消費量とは別に、吸気器１２６および排気器１２７のそれぞれの電力消費量を別々に計測してもよい。そして、計測器１７０で計測された各電力消費量は、パラメータ決定装置１４０によってパラメータの決定に用いられてもよい。また、計測器１７０は、制御装置１１０等を含む店舗全体の電力消費量を計測してもよい。
【００８３】
空調機１８０は、空気の温度を調整する装置である。具体的には、空調機１８０は、店内温度を設定温度に調整する。また、空調機１８０は、閉店中に稼働せず、開店中に稼働する。つまり、空調機１８０は、開店中に、店内温度を設定温度に調整する。
【００８４】
パラメータ決定装置１４０は、換気量の増加の制御のためのパラメータを決定する。パラメータ決定装置１４０は、パラメータを決定するための演算処理器および記憶器等を備えてもよい。演算処理器は、ＭＰＵでもよいしＣＰＵでもよい。記憶器は、揮発性メモリでもよいし不揮発性メモリでもよい。記憶器には、パラメータを決定するためのプログラムが記憶されていてもよい。パラメータ決定装置１４０の具体的な構成を次に説明する。制御装置１１０がパラメータ決定装置１４０を内蔵し、これを兼用するよう構成されてもよい。
【００８５】
図６は、図５に示されたパラメータ決定装置１４０の構成を示すブロック図である。本具体例において、パラメータ決定装置１４０は、試算器１４１および決定器１４２を備える。
【００８６】
試算器１４１は、電力消費量を試算する。試算器１４１は、汎用または専用の電気回路であってもよいし、電力消費量を試算するための演算処理器および記憶器等を備えてもよい。演算処理器は、ＭＰＵでもよいしＣＰＵでもよい。記憶器は、揮発性メモリでもよいし不揮発性メモリでもよい。記憶器には、電力消費量を試算するためのプログラムが記憶されていてもよい。
【００８７】
例えば、試算器１４１は、外部から与えられる店舗情報、試算期間情報、外気温度モデルおよび各換気パターンに従って、換気ユニット１２０、および、ショーケース１３６、１３７を含む冷設機器１３０の電力消費量を試算する。
【００８８】
店舗情報は、電力消費量の試算が行われる対象店舗を示す。店舗情報は、店舗を識別するための店舗名または識別子等によって表現されてもよい。また、店舗情報は、店舗の閉店時間帯を示してもよい。また、店舗情報は、店舗に設けられた換気ユニット１２０、各換気器１２１および冷設機器１３０を示してもよい。さらに、店舗情報は、店舗に設けられた換気ユニット１２０の仕様、各換気器１２１の仕様、および、冷設機器１３０の仕様を示してもよい。
【００８９】
また、店舗情報は、店舗のサイズを示してもよいし、空調機１８０の設定温度を示してもよい。
【００９０】
試算期間情報は、電力消費量の試算が行われる対象期間である試算期間を示す。試算期間は、例えば、１２月から２月までの期間である。試算期間は、１日間であってもよい。
【００９１】
外気温度モデルは、外気温度を示すモデルである。例えば、外気温度モデルは、時間毎の外気温度を示し、外気温度の標準的な推移等を表す。外気温度モデルは、１年前の試算期間における外気温度の標準的な推移を表してもよいし、過去１０年間の試算期間における外気温度の標準的な推移を表してもよい。外気温度モデルは、過去に外気温度センサ１５０によって検知された外気温度を示していてもよい。あるいは、外気温度モデルは、気象を観測する公共機関などから与えられてもよい。
【００９２】
換気パターンは、換気に関するパラメータ群である。具体的には、換気パターンは、制御時間、換気量および閾値温度の組み合わせをパラメータ群として含む。
【００９３】
換気パターンに含まれる制御時間が、換気量の増加の制御を行う時間を表す。例えば、換気パターンに含まれる制御時間は、換気量の増加の制御が閉店から開始される時間の長さで表現される。具体的には、換気パターンに含まれる制御時間は、３０分間、１時間または２時間等の時間長で表現されてもよい。
【００９４】
換気パターンに含まれる換気量は、増加される換気量を表す。例えば、換気パターンに含まれる換気量は、換気ユニット１２０を構成する１以上の換気器１２１のうち、換気量が増加される際に、追加で稼働される換気器１２１の数で表現される。具体的には、換気パターンに含まれる換気量は、１台、２台または３台等の台数で表現されてもよい。あるいは、換気パターンに含まれる換気量は、追加で換気される空気の量で表現されてもよいし、換気ユニット１２０を構成する各換気器１２１の出力レベルで表現されてもよい。
【００９５】
また、換気パターンに含まれる換気量は、通常時の換気量と、増加時の換気量とのそれぞれを表してもよい。例えば、換気パターンに含まれる換気量は、通常時と増加時とのそれぞれについて、稼働される換気器１２１の数を表してもよいし、換気される空気の量を表してもよいし、各換気器１２１の出力レベルを表してもよい。なお、通常時の換気量は、基本的に、複数の換気パターンにおいて同じであるため、店舗情報に含まれていてもよい。
【００９６】
換気パターンに含まれる閾値温度は、換気量の増加の制御に用いられる閾値温度を表す。例えば、換気パターンに含まれる閾値温度は、１℃、２℃または３℃等のような具体的な温度で表現される。
【００９７】
換気パターンは、店舗情報によって制限されてもよい。具体的には、換気パターンに含まれる制御時間は、店舗情報によって示される閉店時間帯に制限されてもよい。また、換気パターンに含まれる換気量は、店舗情報によって示される換気ユニット１２０および各換気器１２１の仕様等に制限されてもよい。
【００９８】
試算器１４１は、上記の情報に従って、電力消費量を試算する。例えば、試算器１４１は、試算期間情報によって示される試算期間に含まれる各時間について、外気温度モデルによって示される外気温度が、換気パターンに含まれる閾値温度以下であるか否かに従って、換気量を増加するか否かを判定する。また、試算器１４１は、試算期間に含まれる各時間について、その時間が、換気パターンに含まれる制御時間内であるか否かを、換気量を増加するか否かの判定に反映させてもよい。
【００９９】
そして、試算器１４１は、換気量を増加するか否かの判定結果、換気ユニット１２０の仕様、および、換気パターンに含まれる換気量等に従って、換気ユニット１２０の電力消費量を試算する。また、試算器１４１は、換気量を増加するか否かの判定結果、換気ユニット１２０の仕様、換気パターンに含まれる換気量、および、外気温度等に従って、店内温度を試算する。
【０１００】
店内温度の試算には、店舗のサイズが用いられてもよいし、空調機１８０の設定温度が閉店時の店内温度として用いられてもよい。つまり、試算器１４１は、閉店時から各時間について、店舗のサイズ、空調機１８０の設定温度、換気量を増加するか否かの判定結果、換気ユニット１２０の仕様、換気パターンに含まれる換気量、および、外気温度等に従って、店内温度を試算してもよい。
【０１０１】
また、店内温度の試算には、過去に、外気温度センサ１５０で検知された外気温度、換気システム１００で制御された換気量、および、店内温度センサ１６０で検知された店内温度が用いられてもよい。つまり、試算器１４１は、過去の同じ環境に従って、店内温度を試算してもよい。
【０１０２】
そして、試算器１４１は、試算された店内温度、および、冷設機器１３０の仕様に従って、冷設機器１３０の電力消費量を試算する。冷設機器１３０の電力消費量の試算には、過去に、店内温度センサ１６０で検知された店内温度、および、計測器１７０で計測された電力消費量が用いられてもよい。つまり、試算器１４１は、過去の同じ環境に従って、冷設機器１３０の電力消費量を試算してもよい。
【０１０３】
例えば、試算器１４１は、試算された店内温度に一致する店内温度が店内温度センサ１６０で過去に検知された際に計測器１７０で冷設機器１３０の電力消費量として計測された電力消費量をその店内温度における冷設機器１３０の電力消費量として試算してもよい。
【０１０４】
上記の処理によって、試算器１４１は、試算期間内の各時間および各換気パターンについて、換気ユニット１２０の電力消費量、および、冷設機器１３０の電力消費量を試算することができる。
【０１０５】
決定器１４２は、試算器１４１で試算された電力消費量に従って、換気量の増加を制御するためのパラメータを決定する。決定器１４２は、汎用または専用の電気回路であってもよいし、パラメータを決定するための演算処理器および記憶器等を備えてもよい。演算処理器は、ＭＰＵでもよいしＣＰＵでもよい。記憶器は、揮発性メモリでもよいし不揮発性メモリでもよい。記憶器には、パラメータを決定するためのプログラムが記憶されていてもよい。
【０１０６】
例えば、決定器１４２は、各換気パターンについて、試算期間における換気ユニット１２０および冷設機器１３０の電力消費量の積算値を取得する。そして、決定器１４２は、複数の換気パターンのうち、積算値が最も小さい換気パターンを選択し、選択された換気パターンに含まれる制御時間、換気量および閾値温度を換気量の増加を制御するためのパラメータとして決定する。
【０１０７】
なお、上記において試算期間として１２月から２月までの期間が示されているが、試算期間は１日間であってもよい。パラメータ決定装置１４０は、標準的な１日間の電力消費量を試算することにより、パラメータを決定してもよいし、日毎に電力消費量を試算することにより、日毎にパラメータを決定してもよい。
【０１０８】
図７は、図５に示されたパラメータ決定装置１４０の動作を示すフローチャートである。パラメータ決定装置１４０は、図７に示された動作に従って、パラメータを決定する。
【０１０９】
まず、パラメータ決定装置１４０の試算器１４１は、店舗情報、試算期間情報および外気温度モデルを取得する（Ｓ２０１）。また、試算器１４１は、複数の換気パターンを取得する（Ｓ２０２）。
【０１１０】
次に、試算器１４１は、試算期間情報によって示される試算期間の開始時点に設定時刻を初期化する（Ｓ２０３）。例えば、この設定時刻は、電力消費量が試算される対象日時を示す。
【０１１１】
そして、設定時刻が、換気パターンに含まれる制御時間内であり、かつ、設定時刻および外気温度モデルに基づく外気温度が、換気パターンに含まれる閾値温度以下であると（Ｓ２０４でＹｅｓ、かつ、Ｓ２０５でＹｅｓ）、追加の換気がオンにされる（Ｓ２０６）。つまり、試算器１４１は、換気パターンに含まれる換気量に従って、その設定時刻について、換気量を増加させるようなシミュレーションを行う。
【０１１２】
そして、設定時刻が、換気パターンに含まれる制御時間内でない、または、設定時刻および外気温度モデルに基づく外気温度が、換気パターンに含まれる閾値温度以下でないと（Ｓ２０４でＮｏ、または、Ｓ２０５でＮｏ）、追加の換気がオフにされる（Ｓ２０７）。つまり、試算器１４１は、その設定時刻について、換気量を増加させないようなシミュレーションを行う。
【０１１３】
そして、試算器１４１は、追加の換気のオンまたはオフに従って、店内温度、換気ユニット１２０の電力消費量、および、冷設機器１３０の電力消費量を試算する（Ｓ２０８）。具体的には、試算器１４１は、追加の換気のオンまたはオフに従って、店内温度、および、換気ユニット１２０の電力消費量を試算する。そして、試算器１４１は、店内温度に従って、冷設機器１３０の電力消費量を試算する。
【０１１４】
そして、試算器１４１は、設定時刻を進行させる（Ｓ２０９）。例えば、試算器１４１は、設定時刻を１分進める。なお、１分は、設定時刻を進める間隔の一例であって、試算器１４１は、設定時刻を１０分進めてもよいし、３０分進めてもよいし、１時間進めてもよい。
【０１１５】
また、前の処理（Ｓ２０８）において、試算器１４１は、設定時刻を進める間隔に対応する電力消費量を試算してもよい。また、実際には、店内温度は、この時間間隔において徐々に低下すると想定されるが、試算器１４１は、店内温度が、この時間間隔の開始時に瞬時に低下するとみなして、おおよその電力消費量を試算してもよい。あるいは、試算器１４１は、徐々に低下する店内温度を電力消費量の試算に反映させ、より高精度に電力消費量を試算してもよい。
【０１１６】
試算器１４１は、設定時刻が試算期間の終了時点以降になるまで、追加の換気のオンまたはオフの判定、および、電力消費量の試算等を繰り返す（Ｓ２０４〜Ｓ２１０）。そして、設定時刻が試算期間の終了時点以降になると（Ｓ２１０でＹｅｓ）、パラメータ決定装置１４０の決定器１４２は、試算期間における換気ユニット１２０および冷設機器１３０の電力消費量の積算値を取得する（Ｓ２１１）。
【０１１７】
そして、パラメータ決定装置１４０は、複数の換気パターンのそれぞれに対して、試算期間における換気ユニット１２０および冷設機器１３０の電力消費量の積算値を取得するための処理を行う（Ｓ２０３〜Ｓ２１１）。そして、パラメータ決定装置１４０の決定器１４２は、電力消費量の積算値が最も小さい換気パターンを選択し、選択された換気パターンに含まれる制御時間、換気量および閾値温度を換気量の増加を制御するためのパラメータとして決定する（Ｓ２１２）。
【０１１８】
なお、換気システム１００は、閉店時間帯における電力消費量を削減する。したがって、パラメータ決定装置１４０の試算器１４１は、試算期間のうち、閉店時間帯における電力消費量を試算してもよい。また、通常の換気は、基本的に常時行われる。したがって、通常の換気のための電力消費量は、電力消費量の試算から除外されてもよい。
【０１１９】
図８は、外気温度の変化を示すグラフである。また、図８には、図５に示された換気システム１００によって換気量が増加される時間が示されている。制御時間内の時刻において、外気温度が閾値温度以下であると、追加の換気が行われる。
【０１２０】
したがって、閾値温度が高いと、外気温度が閾値温度以下である時間が長く、追加の換気が行われる時間が長いと想定される。したがって、閾値温度が高いと、換気ユニット１２０の電力消費量が大きく、冷設機器１３０の電力消費量が小さいと想定される。
【０１２１】
逆に、閾値温度が低いと、外気温度が閾値温度以下である時間が短く、追加の換気が行われる時間が短いと想定される。したがって、閾値温度が低いと、換気ユニット１２０の電力消費量が小さく、冷設機器１３０の電力消費量が大きいと想定される。
【０１２２】
図９は、図５に示された換気システム１００によって制御される閾値温度と電力消費量との関係を示すグラフである。図９には、換気ユニット１２０の電力消費量、冷設機器１３０の電力消費量、および、換気ユニット１２０と冷設機器１３０との合計の電力消費量が、閾値温度毎に示されている。
【０１２３】
換気ユニット１２０の電力消費量、および、冷設機器１３０の電力消費量は、閾値温度によって変動する。具体的には、上述した通り、閾値温度が低いと、換気ユニット１２０の電力消費量が小さく、閾値温度が高いと、換気ユニット１２０の電力消費量が大きい。また、閾値温度が低いと、冷設機器１３０の電力消費量が大きく、閾値温度が高いと、冷設機器１３０の電力消費量が小さい。
【０１２４】
そして、換気ユニット１２０と冷設機器１３０との合計の電力消費量が最も小さい閾値温度が、最適な閾値温度と想定される。パラメータ決定装置１４０の決定器１４２は、換気ユニット１２０と冷設機器１３０との合計の電力消費量が最も小さい閾値温度を換気量の増加を制御するためのパラメータとして決定する。
【０１２５】
なお、換気ユニット１２０の電力消費量は、閾値温度のみでなく、制御時間および換気量によっても変動する。すなわち、換気ユニット１２０の電力消費量を閾値温度毎に示す曲線は、制御時間および換気量によっても変動する。また、冷設機器１３０の電力消費量は、閾値温度のみでなく、制御時間および換気量によっても変動する。すなわち、冷設機器１３０の電力消費量を閾値温度毎に示す曲線は、制御時間および換気量によっても変動する。
【０１２６】
パラメータ決定装置１４０の決定器１４２は、換気ユニット１２０と冷設機器１３０との合計の電力消費量が最も小さい制御時間、換気量および閾値温度の組み合わせを換気量の増加を制御するためのパラメータ群として決定してもよい。
【０１２７】
さらに、換気ユニット１２０の電力消費量は、換気ユニット１２０の仕様等によっても変動する。具体的には、換気ユニット１２０の電力消費量は、換気ユニット１２０を構成する換気器１２１の能力等によっても変動する。すなわち、換気ユニット１２０の電力消費量を示す曲線は、換気ユニット１２０の仕様等によっても変動する。
【０１２８】
また、冷設機器１３０の電力消費量は、冷設機器１３０の仕様等によっても変動する。具体的には、冷設機器１３０の電力消費量は、冷設機器１３０を構成する装置の能力等によっても変動する。すなわち、冷設機器１３０の電力消費量を示す曲線は、冷設機器１３０の仕様等によっても変動する。
【０１２９】
したがって、換気ユニット１２０と冷設機器１３０との合計の電力消費量を示す曲線は、換気ユニット１２０および冷設機器１３０の少なくとも一方の仕様等によって変動する。そして、換気ユニット１２０の電力消費量及び冷設機器１３０の電力消費量の合計値が最小となる閾値温度も、換気ユニット１２０および冷設機器１３０の少なくとも一方の仕様等によって変動する。また、店舗によって、換気ユニット１２０および冷設機器１３０の少なくとも一方の仕様等が異なる場合がある。そこで、パラメータ決定装置１４０の決定器１４２は、店舗毎に閾値温度等を決定してもよい。
【０１３０】
図１０は、図５に示された制御装置１１０の構成を示すブロック図である。本具体例において、制御装置１１０は、取得器１１１および制御器１１２を備える。例えば、取得器１１１は、外気温度センサ１５０から外気温度を有線または無線の通信で受信することにより、外気温度を取得する。
【０１３１】
制御器１１２は、パラメータ決定装置１４０で決定された制御時間、換気量および閾値温度を取得する。制御器１１２は、パラメータ決定装置１４０から制御時間、換気量および閾値温度を有線または無線の通信で受信することにより、制御時間、換気量および閾値温度を取得してもよい。制御器１１２は、パラメータ決定装置１４０から取得器１１１を介してこれらのパラメータを受信することにより、これらのパラメータを取得してもよい。
【０１３２】
そして、制御器１１２は、パラメータ決定装置１４０で決定された制御時間、換気量および閾値温度、並びに、取得器１１１で取得された外気温度に従って、換気ユニット１２０の換気量を制御する。具体的には、制御器１１２は、決定された制御時間において、取得された外気温度が、決定された閾値温度以下であると、決定された換気量に従って、換気ユニット１２０の換気量を増加させる。
【０１３３】
また、例えば、制御器１１２は、換気ユニット１２０の換気量を制御するための指令を換気ユニット１２０へ送信する。そして、換気ユニット１２０は、指令を受信し、受信した指令に従って換気量を調整する。これにより、制御器１１２は、換気ユニット１２０の換気量を制御する。
【０１３４】
より具体的には、制御器１１２は、制御時間において外気温度が閾値温度以下であると、換気ユニット１２０の１以上の換気器１２１のうち、決定された換気量に従って追加で稼働させる換気器１２１へ、その換気器１２１を稼働させるための指令を送信する。これにより、制御器１１２は、制御時間において外気温度が閾値温度以下であると、換気ユニット１２０の換気量を増加させる。
【０１３５】
基本的に、取得器１１１は、１日の長さ以下の間隔で、外気温度を取得する。例えば、取得器１１１は、換気量の制御が行われる時間間隔に従って、１分毎、１０分毎、３０分毎または１時間毎に、外気温度を取得する。
【０１３６】
一方、制御器１１２は、制御装置１１０の初期設定時に、制御時間、換気量および閾値温度を取得する。あるいは、制御器１１２は、１日の長さ以上の間隔で、制御時間、換気量および閾値温度を取得する。例えば、制御器１１２は、１年毎、１ヵ月毎または１週間毎に、制御時間、換気量および閾値温度を取得する。
【０１３７】
言い換えれば、１日の長さ以上の間隔で、制御時間、換気量および閾値温度がパラメータとして制御装置１１０に与えられる。制御時間、換気量および閾値温度がパラメータとして制御装置１１０に与えられるタイミングは、パラメータ決定装置１４０によって電力消費量が試算される試算期間に従っていてもよい。あるいは、制御時間、換気量および閾値温度がパラメータとして制御装置１１０に与えられるタイミングに従って、パラメータ決定装置１４０が電力消費量を試算する試算期間が規定されてもよい。
【０１３８】
例えば、制御時間、換気量および閾値温度が、１２月から２月までの試算期間に従って決定され、１１月末までにパラメータとして制御装置１１０に与えられる。
【０１３９】
図１１は、図５に示された制御装置１１０の動作を示すフローチャートである。制御装置１１０は、図１１に示された動作に従って、換気ユニット１２０の換気量を制御する。
【０１４０】
まず、制御装置１１０の制御器１１２は、初期設定を行う（Ｓ３０１）。例えば、制御器１１２は、パラメータ決定装置１４０で決定された制御時間、換気量および閾値温度等のパラメータを取得する。制御器１１２は、取得されたパラメータをメモリに記憶させることで、パラメータを保持してもよい。
【０１４１】
そして、現在の時刻が、決定された制御時間内であり、かつ、外気温度が、決定された閾値温度以下であると（Ｓ３０２でＹｅｓ、かつ、Ｓ３０３でＹｅｓ）、制御器１１２は、追加の換気をオンにする（Ｓ３０４）。例えば、制御器１１２は、決定された換気量等に従って、追加で稼働させる換気器１２１へ、稼働を開始させるための指令を送信する。
【０１４２】
一方、現在の時刻が、決定された制御時間内でない、または、外気温度が、決定された閾値温度以下でないと（Ｓ３０２でＮｏ、または、Ｓ３０３でＮｏ）、制御器１１２は、追加の換気をオフにする（Ｓ３０５）。例えば、制御器１１２は、換気器１２１へ稼働を開始させるための指令を送信しない。あるいは、制御器１１２は、追加で稼働させた換気器１２１へ、稼働を停止させるための指令を送信する。
【０１４３】
上記の判定（Ｓ３０３）に用いられる外気温度は、随時、外気温度センサ１５０によって検知され、取得器１１１によって取得される。そして、制御装置１１０は、例えば１分毎に、上記の処理（Ｓ３０２〜Ｓ３０５）を繰り返す。制御装置１１０によって制御が繰り返される時間間隔は、パラメータ決定装置１４０によって電力消費量の試算に用いられた時間間隔と同じであってもよい。これにより、制御装置１１０は、電力消費量の試算に用いられた時間間隔で、適切に換気量を制御することができる。
【０１４４】
上記の動作によって、制御装置１１０は、パラメータ決定装置１４０で決定された制御時間、換気量および閾値温度等のパラメータに従って、換気ユニット１２０の換気量を適切に制御することができる。具体的には、制御装置１１０は、現在の時刻が、決定された制御時間内であり、かつ、外気温度が、決定された閾値温度以下であると、決定された換気量に従って、換気ユニット１２０の換気量を増加させることができる。
【０１４５】
したがって、制御装置１１０は、冷設機器１３０の電力消費量を削減することができ、換気ユニット１２０の電力消費量の増加を抑制することができる。
【０１４６】
なお、制御装置１１０は、閉店時間帯の開始時点における外気温度が閾値温度以下であると、制御時間の全期間に亘って、換気ユニット１２０の換気量を増加させてもよい。そして、制御装置１１０は、閉店時間帯の開始時点における外気温度が閾値温度よりも高いと、制御時間の全期間に亘って、換気ユニット１２０の換気量を通常の換気量に等しくしてもよい。そして、パラメータ決定装置１４０は、このような動作に従って電力消費量を試算し、パラメータを決定してもよい。これにより、処理が簡素化される。
【０１４７】
図１２は、図５に示された制御装置１１０が具体的なパラメータに従って行う動作を示すフローチャートである。この例では、開店時間帯が４：００〜２１：００であり、閉店時間帯が２１：００〜４：００である。そして、閉店から３０分間が、制御時間として、予め設定されている。また、３台の吸気器および１台の排気器が、追加の換気のための換気量として、予め設定されている。また、５℃が、閾値温度として、予め設定されている。
【０１４８】
この例において、制御装置１１０は、現在の時刻が、２１：００〜４：００の閉店時間帯であるか否かを判定する（Ｓ４０１）。そして、２１：００〜４：００の閉店時間帯ではない４：００〜２１：００の開店時間帯において（Ｓ４０１でＮｏ）、制御装置１１０は、通常の換気を行う（Ｓ４０５）。つまり、制御装置１１０は、換気ユニット１２０の換気量を２４時間換気のための通常の換気量に等しくする。
【０１４９】
２１：００〜４：００の閉店時間帯において（Ｓ４０１でＹｅｓ）、制御装置１１０は、閉店から経過した時間が３０分以内であるか否かを判定する（Ｓ４０２）。閉店から経過した時間が３０分を超えていると（Ｓ４０２でＮｏ）、制御装置１１０は、通常の換気を行う（Ｓ４０５）。
【０１５０】
閉店から３０分以内において（Ｓ４０２でＹｅｓ）、制御装置１１０は、外気温度が５℃以下であるか否かを判定する（Ｓ４０３）。そして、外気温度が５℃よりも高い環境において（Ｓ４０３でＮｏ）、制御装置１１０は、通常の換気を行う（Ｓ４０５）。外気温度が５℃以下である環境において（Ｓ４０３でＹｅｓ）、制御装置１１０は、追加の換気のための３台の吸気器および１台の排気器をオンにする（Ｓ４０４）。
【０１５１】
すなわち、制御装置１１０は、閉店から３０分以内において、かつ、外気温度が５℃以下である環境において、追加の換気のための３台の吸気器および１台の排気器をオンにする。制御装置１１０は、閉店から経過した時間が３０分を超えると、または、外気温度が５℃よりも高いと、追加の換気のための３台の吸気器および１台の排気器をオフにして、通常の換気量で換気ユニット１２０に換気を行わせる。
【０１５２】
その後、制御装置１１０は、１分間の待機を行う（Ｓ４０６）。そして、１分間の待機の後、制御装置１１０は、上記の処理（Ｓ４０１〜Ｓ４０５）を繰り返す。
【０１５３】
上記の動作によって、制御装置１１０は、閉店から３０分以内において、かつ、外気温度が５℃以下である環境において、追加の換気のための３台の吸気器および１台の排気器をオンにすることができる。したがって、制御装置１１０は、閉店以降の早い段階において、冷たい外気で店内を冷やすことができ、適切に電力消費量を削減することができる。
【０１５４】
また、制御装置１１０は、開店前において、冷たい外気で店内を冷やさない。これにより、制御装置１１０は、開店以降に暖房を行う空調機１８０の電力消費量の増加を抑制することができる。
【０１５５】
以上のように、本開示における換気システムおよび制御装置等は、商品を収納する冷設機器が設けられた店舗の電力消費量を適切に削減することができる。
【０１５６】
なお、上記実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行器が、ハードディスク又は半導体メモリなどの記録媒体に記録されたソフトウェアプログラムを読み出して実行することによって実現されてもよい。ここで、上記実施の形態の節電制御システムなどを実現するソフトウェアは、次のようなプログラムである。
【０１５７】
すなわち、このプログラムは、コンピュータに、外気温度が閾値温度以下であると、商品を収納する冷設機器が設けられた店舗の売場の換気を行う１以上の換気器を備える換気ユニットの換気量を増加させる、換気方法を実行させる。
【０１５８】
また、上記実施の形態において、各構成要素は、回路でもよい。複数の構成要素が、全体として１つの回路を構成してもよいし、それぞれ別々の回路を構成してもよい。また、回路は、それぞれ、汎用的な回路でもよいし、専用の回路でもよい。
【０１５９】
以上、一つ又は複数の態様に係る換気システムおよび制御装置などについて、実施の形態に基づいて説明したが、本開示は、この実施の形態に限定されるものではない。本開示の趣旨を逸脱しない限り、当業者が思いつく各種変形を本実施の形態に施したもの、及び異なる実施の形態における構成要素を組み合わせて構築される形態も、一つ又は複数の態様の範囲内に含まれてもよい。
【０１６０】
例えば、上記実施の形態において、特定の構成要素が実行する処理を特定の構成要素の代わりに別の構成要素が実行してもよい。また、複数の処理の順序が変更されてもよいし、複数の処理が並行して実行されてもよい。
【産業上の利用可能性】
【０１６１】
本開示は、商品を収納する冷設機器が設けられた店舗の売場の換気を行うための換気システムまたは制御装置等に利用可能であり、例えば、ビルエネルギー管理システム（ＢＥＭＳ）等に適用可能である。
【符号の説明】
【０１６２】
１００  換気システム
１１０  制御装置
１１１  取得器
１１２  制御器
１２０  換気ユニット
１２１  換気器
１２６  吸気器
１２７  排気器
１３０  冷設機器
１３６、１３７  ショーケース
１４０  パラメータ決定装置
１４１  試算器
１４２  決定器
１５０  外気温度センサ
１６０  店内温度センサ
１７０  計測器
１８０  空調機
【図１】
2018204944.tif 000003
【図２】
2018204944.tif 000004
【図３】
2018204944.tif 000005
【図４】
2018204944.tif 000006
【図５】
2018204944.tif 000007
【図６】
2018204944.tif 000008
【図７】
2018204944.tif 000009
【図８】
2018204944.tif 000010
【図９】
2018204944.tif 000011
【図１０】
2018204944.tif 000012
【図１１】
2018204944.tif 000013
【図１２】
2018204944.tif 000014